(57)【要約】【課題】垂直磁気記録方式において、サーボ信号とデータ信号のそれぞれの特性に適合する信号処理方式を適用するディスクドライブを提供することにある。【解決手段】垂直磁気記録方式のディスクドライブにおいて、データチャネル１１は、リードヘッドによりディスク１から読出されたリード信号の中で、垂直矩形波のデータ信号に対して正係数ＰＲ等化式のＰＲＭＬ信号処理によりデータ復号化を実行する。データチャネル１１は、垂直矩形波のサーボ信号を微分等化回路１１１により微分信号波形に変換し、当該微分信号波形からサーボデータを再生する。【選択図】      図１
2005346913.tif 000002
【特許請求の範囲】
【請求項１】
垂直異方性を有する垂直記録層と軟磁性層の２層を含む垂直磁気記録用のディスク媒体と、
前記ディスク媒体からサーボ信号またはユーザデータ信号を含む矩形波リード信号を出力するシールド型磁気抵抗効果素子からなるリードヘッドと、
前記ユーザデータ信号の周波数よりも低い周波数の前記サーボ信号であって、前記リードヘッドから出力された前記サーボ信号の矩形波リード信号のみを微分信号波形に変換する微分回路と、
前記微分回路から出力される微分信号波形で、ＤＣ成分が除去された前記サーボ信号からサーボデータを再生するサーボ処理手段と、
前記リードヘッドから出力された前記ユーザデータ信号の前記矩形波リード信号から正係数パーシャル・レスポンス等化方式によりデジタルデータを検出し、最尤復号化方式を使用した復号化処理により前記データ信号に対応する記録データを再生するデータ処理手段と
を具備したことを特徴とする磁気ディスク装置。
【請求項２】
前記データ処理手段は、前記正係数パーシャル・レスポンス等化方式の信号処理を実行する回路を有し、
当該回路の入力飽和レベルが、前記リードヘッドから出力される前記ユーザデータ信号を増幅するためのリードアンプ回路の出力レベルの２倍以上に設定されている構成であることを特徴とする請求項１に記載の磁気ディスク装置。
【請求項３】
前記ディスク媒体は、同心円状の複数のトラックが構成されて、当該各トラックは、前記サーボ信号が記録されるサーボセクタと、前記ユーザデータ信号が記録されるデータセクタとが設けられた構成であり、
前記各データセクタの先頭部には、前記リードヘッドにより読出される前記ユーザデータ信号のＤＣ歪みを検知し、当該ＤＣ歪みを補正するための疑似信号領域が設けられた構成であることを特徴とする請求項１または請求項２のいずれか１項に記載の磁気ディスク装置。
【請求項４】
前記ディスク媒体は、同心円状の複数のトラックが構成されて、当該各トラックは、前記サーボ信号が記録されるサーボセクタと、前記ユーザデータ信号が記録されるデータセクタとが設けられた構成であり、
前記各データセクタの先頭部に設けられた一定周波数の同期信号領域及び前記各データセクタの境界部に設けられたＤＣ領域において、前記同期信号領域の長さをＬ１とし、前記ＤＣ領域の長さをＬ２とした場合に、「Ｌ１＞Ｌ２」の関係を満足するように構成されていることを特徴とする請求項１から請求項３のいずれか１項に記載の磁気ディスク装置。
【請求項５】
前記ユーザデータ信号の微分波形の半値幅を、データの転送ビット長で除算して求められる規格化線密度において、前記データ処理手段において、当該規格化線密度が２以上のデータ転送レートにて用いられることを特徴とする請求項１から請求項４のいずれか１項に記載の磁気ディスク装置。
【請求項６】
前記リードヘッドと垂直磁気記録の可能なライトヘッドとを含む磁気ヘッドを有することを特徴とする請求項１から請求項５のいずれか１項に記載の磁気ディスク装置。
【請求項７】
垂直異方性を有する垂直記録層と軟磁性層の２層を含む垂直磁気記録用のディスク媒体と、前記ディスク媒体からサーボ信号またはユーザデータ信号を含む矩形波リード信号を出力するシールド型磁気抵抗効果素子からなるリードヘッドとを含む垂直磁気記録方式の磁気ディスク装置に適用し、
前記リードヘッドから、前記サーボ信号の周波数は前記データ信号の周波数よりも低い周波数であり、前記矩形波リード信号を微分信号波形に変換するときの高域カットオフ周波数が前記ユーザデータ信号の最高周波数よりも低い前記矩形波リード信号を入力し、当該入力信号からデータを再生して出力するデータチャネルにおいて、
前記入力信号に含まれる前記サーボ信号を微分処理して、微分信号波形に変換する微分回路と、
前記微分回路から出力される微分信号波形で、ＤＣ成分が除去された前記サーボ信号からサーボデータを再生するサーボ復調回路と、
前記矩形波リード信号に含まれる前記ユーザデータ信号から、正係数パーシャル・レスポンス等化方式によりデジタルデータを検出するＰＲ信号処理回路と、
前記デジタルデータから記録データを復号化する復号化回路と
を具備したことを特徴とするデータチャネル。
【発明の詳細な説明】
【技術分野】
【０００１】
本発明は、一般的には垂直磁気記録方式のディスクドライブに関し、特にサーボ信号とデータ信号の信号処理技術に関する。
【背景技術】
【０００２】
近年、ハードディスクドライブを代表とする磁気ディスク装置（ディスクドライブ）の分野では、長手磁気記録（面内磁気記録）方式での記録密度の限界を超えるための技術として、垂直磁気記録方式が注目されている。垂直磁気記録方式では、デジタルデータ（０／１）が記録媒体であるディスク上に記録される場合、当該データに対応する磁化領域がディスクの垂直方向（深さ方向）に形成される。
【０００３】
さらに、高記録密度化を図るために、最近のディスクドライブでは、スライダ上にリードヘッドとライトヘッドとが分離して実装された構造の磁気ヘッドが採用されている。ライトヘッドは、垂直磁気記録方式に適合する例えば単磁極型ヘッドである。リードヘッドは、巨大磁気抵抗効果型素子（ＧＭＲ素子またはスピンバルブ型ＭＲ素子）からなる。
【０００４】
垂直磁気記録方式では、ディスクからリードヘッドにより読出されるリード信号波形は、磁化転移位置で振幅が転移し、振幅が磁化の方向に対応する矩形波の信号波形となる。即ち、長手磁気記録方式でのリード信号波形を積分したような信号波形となる。このため、リード信号から記録データを復号（再生）する信号処理回路として、長手磁気記録方式の回路を転用する場合には、リード信号波形を微分信号波形に変換する微分回路が必要となる。ここで、当該信号処理回路は、データチャネルまたはリード／ライトチャネルと呼ばれており、通常ではＰＲＭＬ（partial response maximum likelihood）方式を採用したものである。
【０００５】
垂直磁気記録方式のディスクドライブにおいて、矩形波のリード信号波形を微分信号波形に変換することにより、長手磁気記録方式の信号処理回路（データチャネル）の転用が可能となる。しかしながら、微分回路によりリード信号波形に対する微分等化処理が実行された場合に、ノイズ（システムノイズ）の高域成分を強調することになる。このため、特に広帯域のリード信号に対して、システムとして十分なＳ／Ｎ比（信号／ノイズ比）を確保することが困難となる。換言すれば、リード信号波形から記録データを再生するときのリードエラーレートが悪化する事態となる。
【０００６】
一方、垂直磁気記録方式での矩形波のリード信号を、微分波形に変換することなく、直接的に信号処理する方式がある。この方式は、垂直磁気記録方式に適合する正係数パーシャル・レスポンス（ＰＲ）等化方式（ＰＲクラス１またはＰＲクラス２に対応する方式）によるＰＲＭＬ信号処理方式である。しかしながら、矩形波のリード信号波形は、ＤＣ成分を有するため、特に低域のカットオフ周波数が高い回路系を伝達されると、信号波形の歪み及び信号振幅の変動が発生する要因となる。ディスクドライブでは、サーボシステムは、ディスクから読出したサーボ信号からサーボデータを再生し、ヘッドの位置決め制御を実行する。サーボシステムは、サーボ信号の振幅値によりヘッドの位置を検出するため、当該サーボ信号の振幅変動を抑制する必要がある。
【０００７】
このような点を解消するために、低域のカットオフ周波数による信号波形の歪みの影響を取り除くために、サーボ信号の記録時に、一定周波数以下のＤＣ領域を、最高記録周波数を使用するＡＣ領域に置き換えて記録する先行技術が提案されている（例えば、非特許文献１を参照）。
【０００８】
即ち、この先行技術は、サーボ信号中でＤＣ成分の強い低密度記録領域を、一定の高密度記録領域に置き換えることにより、低周波成分（ＤＣ成分）の歪みの影響を取り除く内容である。
【非特許文献１】The 8th joint MMM-Intermag Digest（日立製作所）
【発明の開示】
【発明が解決しようとする課題】
【０００９】
前述の先行技術の方法は、サーボ信号を記録するときの置き換え処理が複雑でかつ面倒な操作が必要であり、置き換え信号の安定性にも問題があることが指摘されている。
【００１０】
そこで、本発明の目的は、垂直磁気記録方式のディスクドライブにおいて、サーボ信号とデータ信号のそれぞれの特性に適合する信号処理方式を適用することにより、高記録密度化と高信頼性化を図ることが可能なディスクドライブを提供することにある。
【課題を解決するための手段】
【００１１】
本発明の観点に従ったディスクドライブは、垂直異方性を有する垂直記録層と軟磁性層の２層を含む垂直磁気記録用のディスク媒体と、前記ディスク媒体からサーボ信号またはデータ信号を含む矩形波リード信号を出力するシールド型磁気抵抗効果素子からなるリードヘッドと、前記データ信号の周波数よりも低い周波数の前記サーボ信号であって、前記リードヘッドから出力された矩形波リード信号を微分信号波形に変換する微分回路と、前記微分回路から出力される微分信号波形で、ＤＣ成分が除去された前記サーボ信号からサーボデータを再生するサーボ処理手段と、前記リードヘッドから出力された前記矩形波リード信号から正係数パーシャル・レスポンス等化方式によりデジタルデータを検出し、最尤復号化方式を使用した復号化処理により前記データ信号に対応する記録データを再生するデータ処理手段とを備えた構成である。
【００１２】
このような構成により、相対的に低周波数で、振幅変動の抑制が要求されるサーボ信号に対しては、微分信号波形からサーボデータを再生する処理が実行される。従って、安定かつ信頼性の高いサーボデータを再生し、高精度のヘッド位置決め制御を実現できる。
【００１３】
一方、高密度かつ広帯域のデータ信号に対しては、垂直矩形波信号に適合する正係数ＰＲ等化方式による信号処理を実行するため、システムとして十分なＳ／Ｎ比を確保することができる。従って、リード信号波形から記録データを再生するときのリードエラーレートの向上を図ることができる。結果として、高記録密度で高信頼性の垂直磁気記録方式のディスクドライブを実現できる。
【発明の効果】
【００１４】
本発明によれば、垂直磁気記録方式のディスクドライブにおいて、サーボ信号とデータ信号のそれぞれの特性に適合する信号処理方式を適用することができる。従って、高精度のヘッド位置決め制御及び高記録密度化を実現することができる。
【発明を実施するための最良の形態】
【００１５】
以下図面を参照して、本発明の実施形態を説明する。
【００１６】
（ディスクドライブの構成）
図１、図２及び図７は、本実施形態に関するディスクドライブの構成を示す図である。
【００１７】
同実施形態のディスクドライブは、垂直磁気記録方式を採用したドライブであり、垂直方向の磁気異方性を示す記録層及び軟磁性層の２層構造のディスク１を有する。ディスク１は、スピンドルモータ（ＳＰＭ）２により保持されて、高速回転する。ディスクドライブは、ＳＰＭ２により回転するディスク１から、磁気ヘッド３によりデータのリード／ライト動作（記録再生）を実行する。磁気ヘッド３は、磁気抵抗効果型素子であるシールド型ＭＲ素子、ＧＭＲ素子（スピンバルブ型ＭＲ素子）、またはＴＭＲ素子（トンネル効果型ＭＲ素子）などからなるリードヘッドと、垂直磁気記録の可能な例えば単磁極ヘッドからなるライトヘッドとを有する。リードヘッド及びライトヘッドは、同一スライダ上に分離されて実装されている。
【００１８】
磁気ヘッド３は、マイクロプロセッサ（ＣＰＵ）１４により制御される位置決め機構（サーボ機構）１３により、ディスク１上の目標位置に位置決めされる。磁気ヘッド３は、伝送経路１０を介してデータチャネル（リード／ライトチャネル）１１との間で、リード／ライト信号を入出力する。
【００１９】
伝送経路１０は、図２に示すように、プリアンプ回路２０をメイン要素としている。プリアンプ回路２０は、リードヘッドから出力されるリード信号（垂直矩形波信号ＲＳ１）を増幅して、データチャネル１１に伝送するリードアンプを有する。また、プリアンプ回路２０は、データチャネル１１から出力されるライト信号（図示せず）をライト電流に変換して、ライトヘッドに伝送するライトアンプを有する。
【００２０】
データチャネル１１は、大別してリード信号のＰＲＭＬ信号処理を実行するリードチャネルと、ライトデータの符号化処理等を実行するライトチャネルとからなる。但し、同実施形態はデータ再生機能に関するため、ライトチャネルの説明を省略する。以下、データチャネル１１はリードチャネルを意味する。
【００２１】
データチャネル１１は、伝送経路１０から伝送されるリード信号（垂直矩形波信号ＲＳ１）の中で、データ信号から記録データ（ユーザデータ）を復号化するデータ系復調回路１１０と、サーボ信号からサーボデータを復号化するサーボ系復調回路１１２とを有する。データ系復調回路１１０は、垂直矩形波信号に適合する正係数ＰＲ等化方式のＰＲＭＬ式信号処理回路であり、垂直矩形波信号のデータ信号から記録データ（リードデータＲＤ）をディスクコントローラ１２に送出する。
【００２２】
サーボ系復調回路１１２は、微分等化回路１１１により微分信号波形に変換されたサーボ信号（ＳＳ）からサーボデータを復号化する回路である。サーボ系復調回路１１２は、復号化したサーボデータ（ＳＤ）をＣＰＵ１４に送出する。ＣＰＵ１４は、再生されたサーボデータＳＤを使用して、ヘッド３の位置を検出する。
【００２３】
ディスク１は、図２に示すように、同心円状の多数のトラック１００が構成されている。また、ディスク１は、半径方向のサーボエリア１０１が、周方向に所定の間隔で配置された構成である。サーボエリア１０１は、図４（Ａ）に示すように、各トラック毎のサーボセクタ４０からなる。サーボセクタ４０には、図６に示すように、大別してトラックアドレスを示すアドレスパターン（アドレスコード）と、トラック内の位置誤差を検出するためのサーボバーストパターンとが記録されている。これらを合わせてサーボデータと呼ぶ。
【００２４】
各トラックには、図４（Ａ）に示すように、サーボセクタ４０間に、通常では複数のデータセクタ４１が配置されている。但し、スプリット（split）・データフィールドと呼ぶデータセクタの一部が分割して配置される場合もある。データセクタ４１は、図４（Ｂ）に示すように、先頭部にはＰＬＬエリアとも呼ぶ同期信号領域４００と、ユーザデータ領域４０１と、ＥＣＣ（エラー検出コード）領域４０２とを有する。同期信号領域４００は、一定周波数の繰り返し信号パターンからなる。
【００２５】
位置決め機構（サーボ機構）１３は、図２に示すように、ヘッド３を搭載しているアクチュエータ４と、ボイスコイルモータ（ＶＣＭ）５と、ＶＣＭドライバ２１Ａとから構成されている。アクチュエータ４は、ＶＣＭ５の駆動力により、ディスク１の半径方向に移動可能になっている。ＣＰＵ１４は、ＶＣＭドライバ２１Ａを制御することにより、アクチュエータ４に搭載されたヘッド３の位置決め制御を実行する。ＶＣＭドライバ２１Ａは、ＳＰＭ２を駆動制御するＳＰＭドライバ２１Ｂと共に、モータドライバＩＣ２１として集積化されている。
【００２６】
ＣＰＵ１４は、ディスクドライブのメインコントローラであり、ヘッド位置決め制御や、リード／ライト動作の制御などの各種制御を実行する。メモリ１５は、ＣＰＵ１４の制御動作に必要なプログラムやデータを格納している。ディスクコントローラ（ＨＤＣ）１２は、ディスクドライブとホストシステムとのインターフェースを構成し、主としてリード／ライトデータの転送制御を実行する。
【００２７】
以上のようなディスクドライブは、図７に示すように、例えばアルミ合金製の筐体の中に、ディスク１、ＳＰＭ２、ヘッド３を搭載したアクチュエータ４、及びＶＣＭ５等の機構が組み込まれて構成されている。
【００２８】
（データ再生動作）
以下、同実施形態のディスクドライブにおいて、データチャネル１１のリード動作と共に、同実施形態の作用効果を説明する。
【００２９】
まず、垂直磁気記録方式のディスク１から、リードヘッドにより読出されるリード信号ＲＳ１は、図３（Ａ）に示すように、垂直矩形波のリード信号波形である。リード信号ＲＳ１は、伝送経路（リードアンプなど）１０を経由すると、同図（Ｂ）に示すように、歪みが発生する信号波形ＲＳ２となる。伝送経路１０は、信号のＤＣ成分をそのまま通過させることはできず、また例えば数１００ｋＨｚ前後の低域遮断特性を有するリードアンプを含む。このような要因により、歪みのあるリード信号波形ＲＳ２が、データチャネル１１に入力される。
【００３０】
（サーボ信号処理）
同実施形態のデータチャネル１１では、リード信号ＲＳ２が、図４（Ａ）に示すサーボセクタ４０から読出されたサーボ信号の場合には、微分等化回路１１１により微分信号波形ＳＳに変換される（図３（Ｃ）を参照）。サーボ系復調回路１１２は、通常の例えばＰＲ４方式を採用したＰＲＭＬ信号処理により、微分波形であるサーボ信号ＳＳからサーボデータを復号化（再生）する。前述したように、ＣＰＵ１４は、データチャネル１１から出力されるサーボデータを使用して、ヘッド３の位置決め制御を実行する。ここで、サーボ信号とデータ信号とは、サーボセクタ及びデータセクタの各ゲート信号により識別されて、それぞれの信号処理回路への分岐処理が実行される。
【００３１】
ＣＰＵ１４による位置決め制御では、サーボ信号の振幅値を使用して、ヘッド３の位置が検出される。従って、垂直矩形波であるリード信号に波形歪みが発生している場合には、図６（Ｂ）に示すように、特にサーボ信号に含まれるサーボバーストパターンには、振幅変動（振幅の歪み）が発生する。ここで、同図（Ａ）は、振幅変動がない正常なサーボ信号氏の各パターンを示す。このようなサーボ信号の振幅変動は、ＣＰＵ１４の位置決め制御の精度を低下させる悪影響を及ぼす。
【００３２】
そこで、同実施形態のデータチャネル１１は、サーボ信号に対して微分等化回路１１１により微分処理を実行することにより、垂直矩形波のサーボ信号からＤＣ成分を除去できる。従って、図３（Ｃ）に示すように、伝送経路１０での低域遮断特性の影響による波形歪みもなく、従来の長手磁気記録方式でのサーボ信号波形と同様の信号波形を得ることができる。
【００３３】
（データ信号処理）
一方、リード信号ＲＳ２が、図４（Ｂ）に示すように、データセクタ４１のユーザデータ４０１に対応するデータ信号の場合には、データチャネル１１のデータ系復調回路１１０により復号化処理される。データ系復調回路１１０は、垂直矩形波信号に適合する正係数ＰＲ等化方式のＰＲＭＬ式信号処理回路であり、垂直矩形波信号のデータ信号から記録データ（リードデータＲＤ）を復号化する。即ち、同実施形態のデータチャネル１１は、垂直矩形波信号であるデータ信号をそのままの波形で信号処理するため、微分等化回路などが不要である。
【００３４】
図５は、同実施形態の正係数ＰＲ等化方式でのデータ復号化時の特性（５０）と、従来の長手磁気記録方式で採用されているものと同様の信号を得る微分等化処理とＰＲ４方式とを採用したデータチャネルでの特性（５１）とを比較したものである。即ち、図５は、規格化線密度に対する所要Ｓ／Ｎ比（ＳＮＲ）を示す。規格化線密度（ＬＤ）とは、「ＬＤ＝微分波形半値幅／転送ビット長」として定義する。即ち、転送レートに対する必要ＳＮ比は、リード信号波形の分解能によっても異なるため、ここでは、横軸を規格化線密度として表示している。また、Ｓ／Ｎ比（ＳＮＲ）は、一定量のエラーレート（例えば１０の−６乗以下）を確保するために必要な値として定義している。
【００３５】
規格化線密度が低い領域では、両者の信号処理方式（５０，５１）にはそれ程の差は無いが、図５に示すように、規格化線密度が２を越える領域になると、従来の信号処理氏方式（５１）では、同実施形態の信号処理方式（５０）と比較して、相対的に必要ＳＮ比が高くなる。換言すれば、同実施形態の信号処理方式（５０）は、規格化線密度が２以上になると、低いＳＮＲでもエラーレートを改善できる特性を示すことになる。
【００３６】
このことは、従来の信号処理方式（５１）では、リード信号波形に微分等化処理を実行するため、元来白色性であるランダムなシステムノイズに対しても高域が強調されて、分解能が低いほど高域ノイズの影響を強く受けるためであると推定できる。このようなことから、同じ再生分解能の場合に、高密度に記録したデータを正確に再生する場合に、同実施形態の正係数ＰＲ方式の信号処理が相対的に優れていることが確認できる。要するに、同実施形態のデータチャネル１１では、リード信号波形に対して微分等化処理を実行せずに、垂直矩形波のままで処理するため、ノイズ（システムノイズ）の高域成分が強調されるような事態を回避できる。これにより、特に広帯域のデータ信号に対して、システムとして十分なＳ／Ｎ比を確保し、記録データを再生するときのリードエラーレートが悪化するような事態を防止できる。
【００３７】
ここで、前述したサーボ信号の周波数は、データ信号の転送ビット周波数と比較して、数分の１程度と低い規格化線密度を用いることが一般的である。このため、サーボ信号については、微分等化処理がなされても、その帯域が狭いことからシステムノイズによる劣化が少なく、十分なＳＮ比を確保できる。
【００３８】
なお、同実施形態のディスクドライブの具体的仕様として、ライトヘッドが単磁極型ヘッドで、リードヘッドがシールド型ＧＭＲ素子（シールド間隔は９０ｎｍ程度）またはＴＭＲ素子からなるドライブが想定できる。また、ディスク１としては、ＦｅＡｌＳｉやＣｏＺｒＮｂ、ＦｅＮｉ、ＦｅＣｏ等からなる軟磁性層と、中間制御層、および垂直異方性を有するＣｏＣｒ系材料やＣｏＰｔ系材料からなる記録磁性層からなる多層構造のディスクを想定する。一般的には、ディスク１の表面には記録層の上層にＣなどからなる数ｎｍ厚の保護層画形成されて、更に表面潤滑材による表面加工処理が施されている。例えば同実施形態においては、リードヘッドから読出されるリード信号の孤立微分波形において、その微分半値幅は９５ｎｍ程度であり、ディスク１のトラック密度は６０ｋＴＰＩ（０．４２３μｍのトラックピッチ）程度のものを用いた。
【００３９】
この場合、サーボ信号の周波数は例えば４０ＭＨｚであり、最高データ周波数は１５０ＭＨｚ程度である。即ち、一般的に、サーボ信号のＳ／Ｎ比の確保、およびサーボ系信号処理回路の簡素化のため、サーボ信号の周波数は、データ信号の周波数の数分の一程度に低く設定されることが多い。ここで、同実施形態では、微分等化回路１１１はサーボ信号に対してのみ適用される。このため、データ信号の最高周波数に依存せずに、サーボ信号の周波数のみに従って、微分等化回路１１１の高域カットオフ周波数を設定することができる。微分等化回路１１１の設計では、カットオフ周波数が低いほど簡単であり、かつサーボ信号のＳ／Ｎ比を向上させることができる。また、微分等化回路１１１の高域カットオフ周波数をローパスフィルタの遮断周波数と等しくすることにより、サーボ系復調回路１１２には、新たにローパスフィルタを設ける必要が無くなり、より簡便な回路構成を実現することができる。
【００４０】
（変形例）
同実施形態のディスクドライブは、ディスク１上のサーボセクタ４０に記録されたサーボ信号を使用してヘッド位置決め制御を行なうため、セクタサーボ方式と呼ばれている。セクタサーボ方式は、サーボセクタ間に複数のデータセクタ４１が設けられている。
【００４１】
ところで、ディスクドライブでは、ユーザデータをデータセクタ４０に記録するライト動作時には、ディスク１の回転変動を許容するため、一般的にはデータセクタ間に非記録マージン領域（ギャップ部）が設けられている。このため、各データセクタの手前の領域では、当該ギャップ部に対応するＤＣ領域が生じてしまう。リード動作時に、データセクタから読出される先頭データ系列は、当該ＤＣ領域により大きく低域歪みが発生した信号波形となる。同実施形態では、サーボセクタ４０から読出されるサーボ信号については、微分等化回路１１１による微分処理で、当該波形歪みの影響が除去される。しかし、データセクタ４１の先頭データ系列からは、当該波形歪みの影響をそのままでは除去できない。
【００４２】
そこで、本変形例として、データセクタ４１の先頭領域に、信号のＤＣ歪み量を検知するための擬似信号領域を設ける。データチャネル１１は、データ再生動作時に、当該ＤＣ歪み量を使用して、リード信号波形の歪み補正を実行する歪み補正回路を有する。また、データ系復調回路１１０には、当該波形歪みのあるリード信号がそのまま入力される場合がある。垂直矩形波のリード信号が最もＤＣ歪みの強い形で表れる場合、その信号振幅は歪みのない本来の信号振幅の２倍の大きさになることが確認されている。従って、データ系復調回路１１０の入力飽和レベルは、本来の歪みのないリード信号振幅レベル（リードアンプの出力）の２倍以上に設定されることが望ましい。
【００４３】
また、データチャネル１１の中に、前述の歪み補正回路を設けることなく、低域遮断による信号波形歪みの影響を緩和する方法として、歪み影響の強い領域と、高いデータ信頼性を要求される領域とを分ける構成でもよい。即ち、ディスク１上に一定のＤＣ磁化領域が存在する場合、そのリード信号中で低域遮断特性による歪み影響が生じる領域は、当該ＤＣ領域の次に来る領域である。この領域は、磁化転移信号の手前のＤＣ領域とほぼ同じ長さの領域である。また、その磁化転移信号の後ろ側の領域にも歪みを生じる。
【００４４】
前述したように、ＤＣ磁化領域は、データセクタ間のマージン領域に生じやすい。データセクタ４１の先頭部には、図４（Ｂ）に示すように、一定の繰り返し周波数信号が記録されたＰＬＬ領域４００である。このＰＬＬ領域４００の周波数は、信号品質の保証面などからデータ信号の最高周波数と比較して、低い周波数が用いられる。データセクタ４１の手前のＤＣ領域による歪み影響をより最小限に抑えるためには、このＰＬＬ領域４００の長さを、データセクタ４１の手前のＤＣ領域よりも長くすることが望ましい。これにより、少なくともデータセクタ４１中のランダムなユーザデータ領域４０１への波形歪みの影響が及ぶことを回避できる。即ち、ＰＬＬ領域４００（同期信号領域）の長さをＬ１とし、前記ＤＣ領域の長さをＬ２とした場合に、「Ｌ１＞Ｌ２」の関係を満足するような構成である。
【００４５】
なお、同実施形態のデータチャネル１１のデータ系復調回路１１０は、データ信号から記録データを復号化する処理方法として、ターボ復号方法を併用してもよい。
【００４６】
以上のように同実施形態によれば、サーボデータを再生するサーボ処理系は、垂直矩形波のリード信号を微分等化して得られるサーボ信号を使用する。一方、ユーザデータ（記録データ）を再生するデータ処理系は、垂直矩形波のリード信号をそのまま処理する正係数ＰＲ等化方式の信号処理を実行する。
【００４７】
従って、サーボシステムとしては、振幅変動を抑制した安定化した振幅値を有するサーボ信号を使用できる。これにより、高精度のヘッド位置決め制御を実現できる。また、データ再生システムとしては、広帯域かつ高記録密度に適したデータ信号処理を利用できるため、高トラック記録密度化かつ高線記録密度化を実現することができる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の実施形態に関するディスクドライブに使用されているデータチャネルとその周辺構成を示すブロック図。
【図２】同実施形態に関するディスクドライブの要部を示すブロック図。
【図３】同実施形態に関するリード信号波形を説明するための図。
【図４】同実施形態に関するディスクのトラックフォーマットを説明するための図。
【図５】同実施形態に関する正係数ＰＲ等化方式の特性を説明するための図。
【図６】同実施形態に関するサーボ信号波形を説明するための図。
【図７】同実施形態に関するディスクドライブの外観を示す図。
【符号の説明】
【００５０】
１…ディスク、２…スピンドルモータ（ＳＰＭ）、
３…磁気ヘッド（リードヘッドとライトヘッド）、４…アクチュエータ、
５…ボイスコイルモータ（ＶＣＭ）、１０…伝送経路、１１…データチャネル、
１２…ディスクコントローラ（ＨＤＣ）、１３…位置決め機構（サーボ機構）、
１４…マイクロプロセッサ（ＣＰＵ）、１５…メモリ、２０…プリアンプ回路、
２１…モータドライバＩＣ、２１Ａ…ＶＣＭドライバ、２１Ｂ…ＳＰＭドライバ、
１００…トラック、１０１…サーボエリア、１１０…データ系復調回路、
１１１…微分等化回路、１１２…サーボ系復調回路。
【図１】
2005346913.tif 000003
【図２】
2005346913.tif 000004
【図３】
2005346913.tif 000005
【図４】
2005346913.tif 000006
【図５】
2005346913.tif 000007
【図６】
2005346913.tif 000008
【図７】
2005346913.tif 000009